【事件の表示】
　特許第６０４７１０３号発明「ガスセンサ用電極及びガスセンサ」の特許異議申立事件について、次のとおり決定する。
【結　論】
　特許第６０４７１０３号の特許請求の範囲を訂正請求書に添付された訂正特許請求の範囲のとおり、訂正後の請求項〔１〜１０〕、〔１１〜１３〕、〔１４〜１８〕、〔１９〜２２〕、〔２３〜２８〕について訂正することを認める。
　特許第６０４７１０３号の請求項１１〜２８に係る特許を維持する。
　特許第６０４７１０３号の請求項１〜１０に係る特許についての特許異議の申立てを却下する。
【理　由】
第１　手続の経緯
　特許第６０４７１０３号（以下「本件特許」という。）の請求項１〜１０に係る特許についての出願は、２０１２年（平成２４年）１２月４日（優先権主張：平成２３年１２月１４日）を国際出願日として出願したものであって、平成２８年１１月２５日にその特許権の設定登録がされ、その後、その特許について、平成２９年６月１５日に特許異議申立人　植松　愛（以下、「申立人」という。）より全請求項１〜１０に対して特許異議の申立てがされ、同年９月２７日付けで取消理由が通知され、その指定期間内である同年１２月４日に意見書の提出及び訂正の請求（以下、「本件訂正請求」という。）があり、その訂正の請求に対して平成３０年２月２日付けで申立人から意見書が提出されたものである。
第２　訂正請求について（下線部は訂正箇所を示す。）
（１）本件訂正請求の内容
　特許権者は、以下の訂正事項１〜２８により特定されるとおり訂正することを請求する。
ア　訂正事項１〜１０
　それぞれ、特許請求の範囲の請求項１〜１０を削除する。
イ　訂正事項１１
　特許請求の範囲の請求項７に
　「固体電解質体と、当該固体電解質体上に設けられる一対の電極と、を少なくとも備えたガスセンサであって、
前記一対の電極として、請求項１〜６のいずれかに記載のガスセンサ用電極を用いるガスセンサ。」
　　とあるうち、請求項１を引用するものを、独立形式に改めた、
「ジルコニアを主体とする固体電解質体と、当該固体電解質体上に設けられる一対のガスセンサ用電極と、を少なくとも備えたガスセンサであって、
前記一対のガスセンサ用電極として、
　貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、
　前記第２セラミックス粒子は、前記第１セラミックス粒子よりも含有量が少なく、
　第１セラミックス粒子に対し、前記第２セラミックス粒子の含有割合が３体積％以上４０体積％未満であるガスセンサ用電極を用いるガスセンサ。」を、
訂正により、
「ジルコニアを主体とする固体電解質体と、当該固体電解質体上に設けられる一対の
酸素ポンプ用
とを有する酸素ポンプセル
酸素ポンプ用
貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、
　前記第２セラミックス粒子は、前記第１セラミックス粒子よりも含有量が少なく、
　第１セラミックス粒子に対し、前記第２セラミックス粒子の含有割合が３体積％以上４０体積％未満であるガスセンサ用電極を用いるガスセンサ。」
　と訂正し、新たに請求項１１とする。
ウ　訂正事項１２
　請求項１を引用する請求項２を引用する請求項７について、上記「訂正事項１１」と同じ訂正をし、新たな請求項１２とする。
エ　訂正事項１３
　請求項１を引用する請求項６を引用する請求項７、及び請求項２を引用する請求項６を引用する請求項７について、それぞれ、上記「訂正事項１１」と同じ訂正をし、新たな請求項１３とする。
オ　訂正事項１４
　特許請求の範囲の請求項７に
　「固体電解質体と、当該固体電解質体上に設けられる一対の電極と、を少なくとも備えたガスセンサであって、
前記一対の電極として、請求項１〜６のいずれかに記載のガスセンサ用電極を用いるガスセンサ。」
　とあるうち、請求項３を引用するものを、独立形式に改めた、
「ジルコニアを主体とする固体電解質体と、当該固体電解質体上に設けられる一対のガスセンサ用電極と、を少なくとも備えたガスセンサであって、
前記一対のガスセンサ用電極として、
　貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、
　前記第２セラミックス粒子は、前記第１セラミックス粒子よりも含有量が少なく、
　前記第２セラミックス粒子の焼結平均粒子径は、前記第１セラミックス粒子の０．１倍以上１倍以下であるガスセンサ用電極を用いるガスセンサ。」を、
訂正により、
「ジルコニアを主体とする固体電解質体と、当該固体電解質体上に設けられる一対の
酸素ポンプ用
とを有する酸素ポンプセル
酸素ポンプ用
　貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、
　前記第２セラミックス粒子は、前記第１セラミックス粒子よりも含有量が少なく、
　前記第２セラミックス粒子の焼結平均粒子径は、前記第１セラミックス粒子の０．１倍以上１倍以下であるガスセンサ用電極を用いるガスセンサ。」
　と訂正し、新たに請求項１４とする。
カ　訂正事項１５
　請求項３を引用する請求項４を引用する請求項７について、上記「訂正事項１４」と同じ訂正をし、新たな請求項１５とする。
キ　訂正事項１６
　請求項３を引用する請求項４を引用する請求項５を引用する請求項７について、上記「訂正事項１４」と同じ訂正をし、新たな請求項１６とする。
ク　訂正事項１７
　請求項３を引用する請求項６を引用する請求項７、及び、請求項３を引用する請求項４を引用する請求項６を引用する請求項７、及び、請求項３を引用する請求項４を引用する請求項５を引用する請求項６を引用する請求項７について、上記「訂正事項１４」と同じ訂正をし、新たな請求項１７とする。
ケ　訂正事項１８
　請求項１０のうち請求項７を引用するもののうち、請求項１を引用するものに上記「訂正事項１１」と同じ訂正をし、請求項３を引用するものに上記「訂正事項１４」と同じ訂正をし、新たな請求項１８とする。
コ　訂正事項１９
　　特許請求の範囲の請求項８に
　「第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、請求項１〜６のいずれかに記載のガスセンサ用電極を用いるガスセンサ。」
　　とあるうち、請求項１を引用するものを、独立形式に改めた、
　「第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、ジルコニアを主体とする固体電解質体の表面に設けられるガスセンサ用電極であって、貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、
　前記第２セラミックス粒子は、前記第１セラミックス粒子よりも含有量が少なく、第１セラミックス粒子に対し、前記第２セラミックス粒子の含有割合が３体積％以上４０体積％未満であるガスセンサ用電極を用いるガスセンサ。」
　を、新たに請求項１９とする。
サ　訂正事項２０
　　請求項１を引用する請求項２を引用する請求項８について、新たな請求項２０とする。
シ　訂正事項２１
　請求項１を引用する請求項６を引用する請求項８、及び、請求項１を引用する請求項２を引用する請求項６を引用する請求項８について、新たな請求項２１とする。
ス　訂正事項２２
　請求項９のうち請求項１を引用する請求項８を引用するものついて、新たな請求項２２とする。
セ　訂正事項２３
　　特許請求の範囲の請求項８に
　「第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、請求項１〜６のいずれかに記載のガスセンサ用電極を用いるガスセンサ。」
　　とあるうち、請求項３を引用するものを、独立形式に改めた、
　「第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、ジルコニアを主体とする固体電解質体の表面に設けられるガスセンサ用電極であって、
　貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、
　前記第２セラミックス粒子は、前記第１セラミックス粒子よりも含有量が少なく、
　前記第２セラミックス粒子の焼結平均粒子径は、前記第１セラミックス粒子の０．１倍以上１倍以下であるガスセンサ用電極を用いるガスセンサ。」
　を、新たに請求項２３とする。
ソ　訂正事項２４
　請求項３を引用する請求項４を引用する請求項８について、新たな請求項２４とする。
タ　訂正事項２５
　請求項３を引用する請求項４を引用する請求項５を引用する請求項８について、新たな請求項２５とする。
チ　訂正事項２６
　請求項８のうち請求項６を引用するものついて、新たな請求項２６とする。
ツ　訂正事項２７
　請求項９のうち請求項３を引用する請求項８を引用するものについて、新たな請求項２７とする。
テ　訂正事項２８
　請求項１０のうち請求項８又は９を引用するものついて、新たな請求項２８とする。
（２）訂正の目的の適否、新規事項の有無、一群の請求項及び特許請求の範囲の拡張・変更の存否
ア　訂正事項１〜１０は、特許請求の範囲の減縮を目的とし、新規事項の追加に該当せず、実質上特許請求の範囲を拡張し、又は変更するものではない。
イ　訂正事項１１〜１３について
イ−１　訂正事項１１は、実質的にガスセンサの「一対のガスセンサ用電極」を、「一対の酸素ポンプ用電極」に限定するとともに、
「ガスセンサ」が「ジルコニアを主体とする固体電解質体」と「一対のガスセンサ用電極」を備えたものから、「ジルコニアを主体とする固体電解質体」と「一対の酸素ポンプ用電極」を有する「酸素ポンプセル」とを備えると構成を限定するものであるから、特許請求の範囲の減縮を目的とし、特許明細書の段落【００１２】に「本発明のガスセンサは、第１の固体電解質体と、当該第１の固体電解質体の表面に設けられる一対の酸素ポンプ用電極とを有する酸素ポンプセルと、・・・を少なくとも備えたガスセンサであって、」と記載されており、新規事項の追加に該当せず、実質上特許請求の範囲を拡張し、又は変更するものではない。
イ−２　訂正事項１２〜１３は、訂正前の請求項７のうち、
・請求項１を引用する請求項２を引用するもの、
・請求項１を引用する請求項６を引用するもの、及び請求項２を引用する請求項６を引用するもの、
それぞれについて、請求項１と各請求項間の引用関係を解消し、請求項１の記載を引用しないものと改める訂正であるから、「他の請求項の記載を引用する請求項の記載を当該他の請求項の記載を引用しないものとすること。」を目的とするものである。
　さらに、それぞれ、上記「訂正事項１１」を含むものであるから、上記「イ−１」での説示のとおり、それぞれ、特許請求の範囲の減縮を目的とし、新規事項の追加に該当せず、実質上特許請求の範囲を拡張し、又は変更するものではない。
ウ　訂正事項１４〜１７について
ウ−１　訂正事項１４は、実質的にガスセンサの「一対のガスセンサ用電極」を、「一対の酸素ポンプ用電極」に限定するとともに、
「ガスセンサ」が「ジルコニアを主体とする固体電解質体」と「一対のガスセンサ用電極」を備えたものから、「ジルコニアを主体とする固体電解質体」と「一対の酸素ポンプ用電極」を有する「酸素ポンプセル」とを備えるとの構成を限定するものであるから、特許請求の範囲の減縮を目的とし、特許明細書の段落【００１２】に「本発明のガスセンサは、第１の固体電解質体と、当該第１の固体電解質体の表面に設けられる一対の酸素ポンプ用電極とを有する酸素ポンプセルと、・・・を少なくとも備えたガスセンサであって、」と記載されており、新規事項の追加に該当せず、実質上特許請求の範囲を拡張し、又は変更するものではない。
ウ−２　訂正事項１５〜１７は、訂正前の請求項７のうち、
・請求項３を引用する請求項４を引用するもの、
・請求項３を引用する請求項４を引用する請求項５を引用するもの、
・請求項３を引用する請求項６を引用するもの、及び、請求項３を引用する請求項４を引用する請求項６を引用するもの、及び、請求項３を引用する請求項４を引用する請求項５を引用する請求項６を引用するもの、
それぞれについて、請求項３と各請求項間の引用関係を解消し、請求項３の記載を引用しないものと改める訂正であるから、「他の請求項の記載を引用する請求項の記載を当該他の請求項の記載を引用しないものとすること。」を目的とするものである。
　さらに、それぞれ、上記「訂正事項１４」を含むものであるから、それぞれ、特許請求の範囲の減縮を目的とし、新規事項の追加に該当せず、実質上特許請求の範囲を拡張し、又は変更するものではない。
エ　訂正事項１８は、訂正前の請求項１０のうち、請求項７を引用するもの、について、請求項７と各請求項間の引用関係を解消し、請求項７の記載を引用しないものと改める訂正であるから、「他の請求項の記載を引用する請求項の記載を当該他の請求項の記載を引用しないものとすること。」を目的とするものである。
　さらに、それぞれ、上記「訂正事項１１」または、「訂正事項１４」を含むものであるから、それぞれ、特許請求の範囲の減縮を目的とし、新規事項の追加に該当せず、実質上特許請求の範囲を拡張し、又は変更するものではない。
オ　訂正事項１９〜２１について
オ−１　訂正事項１９は、訂正前の請求項８のうち、請求項１を引用するもの、について、請求項１と各請求項間の引用関係を解消し、請求項１の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
オ−２
訂正事項２０〜２１は、訂正前の請求項８のうち、
・請求項１を引用する請求項２を引用するもの、
・請求項１を引用する請求項６引用するもの及び、請求項１を引用する請求項２引用する請求項６を引用するもの、
それぞれについて、請求項１と各請求項間の引用関係を解消し、請求項１の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
　
カ　訂正事項２２は、訂正前の請求項９のうち、請求項８を引用するもの、について、請求項８と各請求項間の引用関係を解消し、請求項８の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
キ　訂正事項２３は、訂正前の請求項８のうち、請求項３を引用するものについて、請求項３と各請求項間の引用関係を解消し、請求項３の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
ク　訂正事項２４〜２５は、訂正前の請求項８のうち、
・請求項３を引用する請求項４を引用するもの、
・請求項３を引用する請求項４を引用する請求項５を引用するもの、
それぞれについて、請求項３と各請求項間の引用関係を解消し、請求項３の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
ケ　訂正事項２６は、訂正前の請求項８のうち、請求項６を引用するものについて、請求項６と各請求項間の引用関係を解消し、請求項６の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
コ　訂正事項２７は、訂正前の請求項９のうち、請求項３を引用する請求項８を引用するものについて、請求項８と各請求項間の引用関係を解消し、請求項８の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
サ　訂正事項２８は、訂正前の請求項１０のうち、請求項８又は９を引用するものについて、請求項８又は９と各請求項間の引用関係を解消し、請求項８又は９の記載を引用しないものと改める訂正であるから、「他の請求項の記載を引用する請求項の記載を当該他の請求項の記載を引用しないものとすること。」を目的とするものであり、新規事項の追加に該当せず、実質上特許請求の範囲を拡張し、又は変更するものではない。
シ　一群の請求項
　訂正前の請求項２、６〜１０は請求項１を直接又は間接的に引用しているものであって、訂正事項１によって訂正される請求項１に連動して訂正されるものであり、訂正前の請求項４〜１０は請求項３を直接又は間接的に引用しているものであって、訂正事項３によって訂正される請求項３に連動して訂正されるものであるから、訂正前の請求項１〜１０は、一群の請求項である。
　したがって、訂正事項１〜２８は、特許法第１２０条の５第４項の規定に適合する。
ス　訂正後の請求項
　本件訂正請求において、「訂正後の請求項１１、１４、１９、２３については、引用関係の解消を目的とする訂正であるから、当該請求項についての訂正が認められる場合には、一群の請求項の他の請求項とは別途訂正すること」を「求め」ているので、訂正前の一群の請求項１〜１０は、訂正後の請求項〔１〜１０〕、〔１１〜１３〕、〔１４〜１８〕、〔１９〜２２〕、〔２３〜２８〕となる。
　
（３）小括
　したがって、上記訂正請求による訂正事項１〜２８は、特許法第１２０条の５第２項ただし書第１号又は第４号に掲げる事項を目的とするものであり、かつ、同条第４項、及び同条第９項で準用する同法第１２６条第４項から第７項までの規定に適合するので、訂正後の請求項〔１〜１０〕、〔１１〜１３〕、〔１４〜１８〕、〔１９〜２２〕、〔２３〜２８〕について訂正を認める。
第３　特許異議の申立てについて
１　本件特許発明
　上記「第２　訂正請求について」で述べたとおり、本件訂正は認められることとなったから、請求項１〜２８に係る発明(以下、それぞれの発明を「本件特許発明１」などという。)は、平成２９年１２月４日付けの訂正請求書の訂正特許請求の範囲の請求項１〜２８に記載された以下のとおりのものであると認める。
「【請求項１】
　（削除）
【請求項２】
　（削除）
【請求項３】
　（削除）
【請求項４】
　（削除）
【請求項５】
　（削除）
【請求項６】
　（削除）
【請求項７】
　（削除）
【請求項８】
　（削除）
【請求項９】
　（削除）
【請求項１０】
　（削除）
【請求項１１】
　ジルコニアを主体とする固体電解質体と、当該固体電解質体上に設けられる一対の酸素ポンプ用電極とを有する酸素ポンプセルと、を少なくとも備えたガスセンサであって、
　前記一対の酸素ポンプ用電極として、貴金属又はその合金の粒子と、安定化ジルコニア又は部分安定化ジルコニアからなる第１セラミックス粒子と、Ａ１２Ｏ３、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、第１セラミックス粒子に対し、前記第２セラミックス粒子の含有割合が３体積％以上４０体積％未満であるガスセンサ用電極を用いるガスセンサ。
【請求項１２】
　前記第２セラミックス粒子の焼結平均粒子径は、前記第１セラミックス粒子の０．１倍以上１倍以下である請求項１１記載のガスセンサ。
【請求項１３】
　前記第１セラミックス粒子が部分安定化ジルコニアからなる請求項１１又は１２記載のガスセンサ。
【請求項１４】
　ジルコニアを主体とする固体電解質体と、当該固体電解質体上に設けられる一対の酸素ポンプ用電極とを有する酸素ポンプセルと、を少なくとも備えたガスセンサであって、
　前記一対の酸素ポンプ用電極として、貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、前記第２セラミックス粒子の焼結平均粒子径は、前記第１セラミックス粒子の０．１倍以上１倍以下であるガスセンサ用電極を用いるガスセンサ。
【請求項１５】
　前記ガスセンサ用電極において、第１セラミックス粒子に対し、前記第２セラミックス粒子の含有割合が０．１体積％以上５０体積％未満である請求項１４記載のガスセンサ。
【請求項１６】
　前記ガスセンサ用電極において、第１セラミックス粒子に対し、前記第２セラミックス粒子の含有割合が３体積％以上４０体積％未満である請求項１５記載のガスセンサ。
【請求項１７】
　前記第１セラミックス粒子が部分安定化ジルコニアからなる請求項１４〜１６のいずれかに記載のガスセンサ。
【請求項１８】
　前記ガスセンサ用電極の厚みが２０μｍ以上である請求項１１〜１７のいずれかに記載のガスセンサ。
【請求項１９】
　第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、
　ジルコニアを主体とする固体電解質体の表面に設けられるガスセンサ用電極であって、
貴金属又はその合金の粒子と、安定化ジルコニア又は部分安定化ジルコニアからなる第１セラミックス粒子と、Ａ１２Ｏ３、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、第１セラミックス粒子に対し、前記第２セラミックス粒子の含有割合が３体積％以上４０体積％未満であるガスセンサ用電極を用いるガスセンサ。
【請求項２０】
　前記第２セラミックス粒子の焼結平均粒子径は、前記第１セラミックス粒子の０．１倍以上１倍以下である請求項１９記載のガスセンサ。
【請求項２１】
　前記第１セラミックス粒子が部分安定化ジルコニアからなる請求項１９又は２０記載のガスセンサ。
【請求項２２】
　前記ガスセンサ用電極が、酸素ポンプ用電極である請求項１９〜２１記載のガスセンサ。
【請求項２３】
　第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、
　ジルコニアを主体とする固体電解質体の表面に設けられるガスセンサ用電極であって、貴金属又はその合金の粒子と、安定化ジルコニア又は部分安定化ジルコニアからなる第１セラミックス粒子と、Ａ１２Ｏ３、ＭｇＯ、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、前記第２セラミックス粒子の焼結平均粒子径は、前記第１セラミックス粒子の０．１倍以上１倍以下であるガスセンサ用電極を用いるガスセンサ。
【請求項２４】
　前記ガスセンサ用電極において、第１セラミックス粒子に対し、前記第２セラミックス粒子の含有割合が０．１体積％以上５０体積％未満である請求項２３記載のガスセンサ。
【請求項２５】
　前記ガスセンサ用電極において、第１セラミックス粒子に対し、前記第２セラミックス粒子の含有割合が３体積％以上４０体積％未満である請求項２４記載のガスセンサ。
【請求項２６】
　前記第１セラミックス粒子が部分安定化ジルコニアからなる請求項２３〜２５のいずれかに記載のガスセンサ。
【請求項２７】
　前記ガスセンサ用電極が、酸素ポンプ用電極である請求項２３〜２６記載のガスセンサ。
【請求項２８】
　前記ガスセンサ用電極の厚みが２０μｍ以上である請求項１９〜２７のいずれかに記載のガスセンサ。」
２　取消理由の概要
　平成２９年９月２７日付けで通知した当審の取消理由の概要は以下のとおりである。
（１）取消理由１（特許法第３６条第６項第１号違反について）
　特許明細書の発明の詳細な説明には、「【０００１】　本発明は、例えば燃焼器や内燃機関等の燃焼ガスや排気ガス中に含まれる特定ガスのガス濃度を検出するのに好適に用いられるガスセンサ用の電極及びガスセンサに関する。」と技術分野が記載され、「【０００５】・・・　そこで、本発明は、多孔質電極の電極抵抗を安定して低減し、低温活性に優れたガスセンサ用電極及びガスセンサの提供を目的とする。」と発明が解決しようとする課題が記載されているが、課題を解決するための手段として、技術的裏付けを持って開示されているガスセンサは特許明細書の【００１７】〜【００４０】、図１〜６に第１の実施形態として記載された、酸素濃度検出セルと酸素ポンプセルを備えた酸素センサ、または、【００４１】〜【００５０】、図７に第２の実施形態として記載された、第１ポンプセルと第２ポンプセルを備えたＮＯＸセンサのみである。
　そうすると、出願時の技術常識に照らしても、ガスセンサの構成の特定か、ガスセンサのどの電極であるかの限定がなされていない請求項１に記載された「ガスセンサ用電極」まで、発明の詳細な説明に記載された内容を拡張ないし一般化できるとはいえない。
　してみると、本件特許発明１〜７は、発明の詳細な説明の記載からサポートされるものとはいえないから、請求項１〜７の記載は、特許法第３６条第６項第１号に規定する要件を満たしていない。
（２）取消理由２（特許法第３６条第６項第２号違反について）
　請求項９は「前記ガスセンサ用電極が、酸素ポンプ用電極である請求項７又は８記載のガスセンサ。」であり、請求項９が引用する請求項８には「酸素ポンプセル」が特定されているので、「酸素ポンプ用電極」は明確であるが、請求項９が引用する請求項７には「酸素ポンプセル」が特定されていないので、「酸素ポンプ用電極」が明確でない。
　よって、請求項７を引用する請求項９は、特許法第３６条第６項第２号に規定する要件を満たしていない。
（３）取消理由３（特許法第２９条関連の違反について）
ア　理由１　本件特許発明１ないし５、７、９は、本件特許に係る出願の優先権主張日前に日本国内又は外国において、頒布された下記の刊行物である甲第１号証に記載された発明であって、特許法第２９条第１項第３号に該当し、特許を受けることができないから、同法第１１３条第２号に該当し、その発明に係る特許は取り消すべきものである。
イ　理由２　本件特許発明１ないし７、９、１０は、本件特許に係る出願の優先権主張日前に日本国内又は外国において、頒布された下記の刊行物に記載された発明に基づいて、その優先権主張日前にその発明の属する技術の分野における通常の知識を有する者が容易に発明をすることができたものであって、特許法第２９条第２項の規定により特許を受けることができないから、同法第１１３条第２号に該当し、その発明に係る特許は取り消すべきものである。
　　　　　　　　　　　　　　　　　記
甲第１号証：特開２００３−２９４６９５号公報
甲第２号証：特開平６−２８８９６７公報
甲第３号証：特開２００７−１１４２１６号公報
甲第４号証：特開昭５５−３６７８１公報
甲第５号証：特開２００１−６６２８０号公報
甲第６号証：化学辞典、第９刷、２０１２年６月１日発行、株式会社東京化学同人、ｐ．５２１
甲第７号証：窯業協会誌　９２　１９８４年、社団法人日本セラミックス協会、ｐ．２３３−２４１
　以下、特許異議申立書に添付された甲各号証を「甲１」などという。
第４　特許法第３６条第６項第１号に関する取消理由１についての当審の判断
　上記「第３の２（１）」で述べたとおり、取消理由は訂正前の請求項１〜７に対して通知されているが、請求項１〜７は削除され、訂正前の請求項７は一部が訂正により、請求項１１〜１８と訂正されており、いずれも、「ジルコニアを主体とする固体電解質体と、当該固体電解質体上に設けられる一対の酸素ポンプ用電極とを有する酸素ポンプセルと、を少なくとも備えたガスセンサであって、前記一対の酸素ポンプ用電極として、・・・」とガスセンサのどの電極であるかの限定がなされる訂正がなされたので、発明の詳細な説明の記載からサポートされるものとなり、取消理由１は解消した。
第５　特許法第３６条第６項第２号に関する取消理由２についての当審の判断
　上記「第３の２（２）」で述べたとおり、取消理由は訂正前の請求項７を引用する請求項９に対して通知されているが、請求項９は削除され、訂正前の請求項９は一部が訂正により、請求項２２、２７と訂正されているが、いずれも、訂正前の請求項７を引用していないものであり、訂正前の請求項７を引用する請求項９は削除されているので、取消理由２は解消した。
第６　特許法第２９条第１項第３号及び第２項に関する取消理由３についての当審の判断
１　各甲号証に記載の事項
（１）甲１に記載の事項
　本願の優先権主張日前に頒布された甲１には、「可燃性ガスセンサ」について、図面とともに次の事項が記載されている（下線は当審で付与した。）。
　
（ア）
「【０００１】
【発明の属する技術分野】本発明は、例えば自動車用エンジン等の空燃比（燃料と吸入空気との混合比）を排気ガス中の酸素濃度等から検出するのに好適に用いられる空燃比検出装置に関する。
【０００２】
【従来の技術】一般に、自動車用エンジン等では、例えば排気管の途中に空燃比センサ（酸素センサ）を設け、この空燃比センサを用いて排気ガス中に含まれる酸素濃度等を検出するようにしている。
・・・
【０００６】
【発明が解決しようとする課題】ところで、上述した従来技術による
空燃比検出素子は、
全体がプレート構造（平板形状）
・・・
【０００９】本発明は上述した従来技術の問題に鑑みなされたもので、本発明の目的は、全体を
円形のロッド状に形成する
（イ）
「【００３０】
【発明の実施の形態】以下、本発明の実施の形態による空燃比検出装置を、自動車用エンジンの排気管側に取付けられる広域空燃比センサに適用した場合を例に挙げ、添付図面に従って詳細に説明する。
【００３１】ここで、図１ないし図１４は本発明の第１の実施の形態を示している。図中、１は空燃比センサのケーシングで、該ケーシング１は、軸方向一側（先端側）外周に取付部としてのおねじ部２Ａが形成された段付筒状のホルダ２と、該ホルダ２の軸方向他側（基端側）に一体的に固着された有底筒状のキャップ３と、該キャップ３内に同軸に配設され、後述のシールキャップ１０とホルダ２との間に位置決めされたガイド筒４とにより構成されている。」
　
（ウ）
「【００４０】次に、２１は空燃比検出装置としての空燃比検出素子で、該空燃比検出素子２１は、ケーシング１のホルダ２内に絶縁支持体５を介して取付けられ、先端側がホルダ２から軸方向に突出している。そして、
空燃比検出素子２１
・・・
【００４８】２７はヒータ部２２のヒータ被覆層２５外周側に曲面印刷等の手段を用いて形成された
酸素イオン伝導性の固体電解質層を示し、該固体電解質層２７は、例えば９５％モルのジルコニア（ＺrＯ
2
）の粉体に対して、５％モルのイットリア（Ｙ
2
Ｏ
3
）の粉体を混合して所謂イットリア安定化ジルコニア（ＹＳＺ）からなるペースト状物
【００４９】そして、固体電解質層２７は、例えば５０〜１００μｍ程度の厚さを有し、後述の電極２８，２９間、電極２８，３１間でそれぞれ酸素イオンを輸送させる。これにより、固体電解質層２７は、後述の空燃比に応じて変化するネルンスト電圧Ｖnl，Ｖnt，Ｖnrを発生させるものである。
【００５０】２８はヒータ部２２のヒータ被覆層２５と固体電解質層２７との間に位置して
固体電解質層２７の内周側に設けられた第１の電極としての内側電極
・・・
【００５２】そして、内側電極２８は、図２に示す如く軸方向一側（先端側）が後述の測定電極２９と固体電解質層２７の径方向で対向し、軸方向他側（基端側）が後述の基準電極３１と固体電解質層２７の径方向で対向するものである。
・・・
【００５４】２９はヒータ部２２の先端側寄りに位置して
固体電解質層２７の外周面に設けられた
測定電極２９
第１のポンプセル
・・・
【００５６】そして、これらの
測定電極２９
は、白金等からなる導電性ペーストを
・・・
【００５９】一方、測定セル３０側では、後述のリーン空燃比（λ＞１）のときに測定電極２９が後述の化１による接触分解反応を行う陰極となり、内側電極２８は陽極となって
酸素を吸引する
　
（エ）
「【００７４】次に、図７を参照して内側電極２８の構造について説明する。まず、
内側電極２８は、白金等の貴金属材料４１と、セラミックス粒子４２，４２，…と、空孔４３，４３，…とにより構成されている。
例えば粒径が０．４〜１．０μｍ程度のジルコニアの粉体と、粒径が０．４〜１．０μｍ程度のアルミナの粉体を混合することにより形成される
【００７５】また、空孔４３は、例えば粒径が０．４〜３．０μｍ程度のカーボン粉等からなる空孔形成剤を用いて形成され、この空孔形成剤は、空燃比検出素子２１の焼成時に焼き飛ばされて内側電極２８内に連続気泡となる空孔４３，４３，…を形成するものである。そして、空孔４３は、セラミックス粒子４２の粒径と同等、または粒径よりも大きい孔径をもって形成されている。
【００７６】即ち、内側電極２８は、
貴金属材料４１の粉体に
１５〜２０重量％のジルコニア粉、１〜２重量％のアルミナ粉と、１〜５重量％のカーボン粉とを添加して、ペースト状物を調整することにより形成される
アルミナの粉体に替えて、
ムライト（３Ａｌ
2
Ｏ
3
・２ＳｉＯ
2
）の粉体を用いてもよい
【００７７】そして、内側電極２８は、貴金属材料４１が電極反応を起こすことにより内部で電子を移動させる働きをする。また、セラミックス粒子４２は、ジルコニアの粉体とアルミナまたはムライトの粉体とを含有することにより、図７に示すヒータ被覆層２５（多孔質絶縁層）と固体電解質層２７との間で内側電極２８の接合性を高める働きをするものである。」
（オ）
「【００８９】そして、次なる焼成工程では、前述の如く形成したコアパイプ２３、ヒータパターン２４、ヒータ被覆層２５、固体電解質層２７、電極２８，２９，３１、保護層３３および拡散層３４からなる空燃比検出素子２１の成形品を、例えば１３００〜１５００℃前，後の高温度下で２時間程度
焼成して
一体的に
（カ）
「【０１５７】
特に、セラミックス粒子４２の構成材料として、
固体電解質層２７と同一の材料を用いることにより、素子の焼成時には内側電極２８をヒータ被覆層２５と固体電解質層２７との間で両者に対して強く接合できる。そして、前記３相界面（電極反応点）を多数、均一に分布させることができ、内側電極２８と測定電極２９、基準電極３１との対向面全体で電極反応を均一に生起することができる。
【０１５８】そして、空孔４３内で酸素を拡散できるため、電極反応、温度変化で生じる酸素の濃度、圧力差を減らすことができ、前記３相界面（電極反応点）での酸素の滞留、欠乏を防ぐことができる。これにより、センサの内部抵抗を下げることが可能となり、空燃比検出素子２１の低温活性化を促進することができる。
【０１５９】さらに、空燃比検出素子２１の固体電解質層２７等に対して昇温、降温等を繰返すような耐久試験を行った場合でも、固体電解質層２７と内側電極２８との３相界面において剥離等が生じるのを抑えることができ、これによる内部抵抗の増大等も防止することができる。
【０１６０】次に、図１５及び図１６は本発明の第２の実施の形態を示し、・・・」
（キ）
　上記（ウ）には「該固体電解質層２７は、例えば９５％モルのジルコニア（ＺrＯ2）の粉体に対して、５％モルのイットリア（Ｙ2Ｏ3）の粉体を混合して所謂イットリア安定化ジルコニア（ＹＳＺ）からなるペースト状物」により形成することが記載され、上記（カ）には「特に、セラミックス粒子４２の構成材料として固体電解質層２７と同一の材料を用いること」が記載されていることから、セラミック粒子４２の構成材料としては、イットリア安定化ジルコニア（ＹＳＺ）が用いられているといえる。
（２）甲２〜７に記載の事項
　甲２には、「酸素濃度センサ」に関する技術事項が記載されており、センサ素子を構成する酸素イオン導電性固体電解質セラミック粉末として、イットリアで部分安定化したジルコニアなどを用いることができる点が記載されている。
　甲３には、「酸素センサ素子」に関する技術事項が記載されており、セラミック粒子１１として、ジルコニアまたはアルミナを主成分とするセラミックスからなることが望ましいことが記載されている。
　甲４には、「酸素センサ素子」に関する技術事項が記載されており、固体電解質がジルコニア（ＺｒＯ２）で構成され、安定化のためにこの固体電解質材料に少量のＹ２Ｏ３，ＣａＯ，またはＭｇＯを添加して焼結し固溶体としたものが有利に用いられる点が記載されている。
　甲５には、「セラミック積層体及びその製造方法、それを用いた酸素センサ素子」に関する技術事項が記載されている。
　甲６には、アルミナ（酸化アルミニウム）の密度が４．０ｇ／ｃｍ３であることが記載されている。
　甲７には、各種イットリア安定化ジルコニアの密度が約６ｇ／ｃｍ３であることが記載されている。
２　甲１発明
　上記１（ア）〜（キ）の記載を参照すると、上記甲１には、次の発明が記載されていると認められる。
「空燃比検出素子２１のイットリア安定化ジルコニア（ＹＳＺ）からなる固体電解質層２７の内周側に設けられた内側電極２８であって、白金等の貴金属材料４１の粉体と、セラミックス粒子４２，４２，と、空孔４３，４３，とにより構成されており、そのセラミックス粒子４２は、粒径が０．４〜１．０μｍ程度のイットリア安定化ジルコニア（ＹＳＺ）の粉体１５〜２０重量％と、粒径が０．４〜１．０μｍ程度のアルミナの粉体またはムライトの粉体１〜２重量％により形成される内側電極２８と、固体電解質層２７の外周面に設けられた白金等からなる測定電極２９と、を有する、焼成して一体的に形成された酸素を吸引する第１のポンプセルを備えた円形のロッド状の空燃比検出素子２１。」（以下、「甲１発明」という。）
３　甲１発明との対比・判断
（１）本件特許発明１１について
ア　本件特許発明１１と甲１発明とを対比する。
　請求項１１については、当審において分説し、記号を付け整理した。　
「【請求項１１】
Ａ　ジルコニアを主体とする固体電解質体と、当該固体電解質体上に設けられる一対の酸素ポンプ用電極とを有する酸素ポンプセルと、を少なくとも備えたガスセンサであって、前記一対の酸素ポンプ用電極として、
Ｂ　貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、
Ｃ　前記第２セラミックス粒子は、前記第１セラミックス粒子よりも含有量が少なく、
Ｄ　第１セラミックス粒子に対し、前記第２セラミックス粒子の含有割合が３体積％以上４０体積％未満である
Ｅ　ガスセンサ用電極を用いるガスセンサ。」
（ア）甲１発明の「空燃比検出素子２１」、「イットリア安定化ジルコニア（ＹＳＺ）からなる固体電解質層２７」、及び「内側電極２８」と「測定電極２９」は、それぞれ、本件特許発明１１の「ガスセンサ」、「ジルコニアを主体とする固体電解質体」、及び「一対の酸素ポンプ用電極」に相当する。
　そうすると、甲１発明の「空燃比検出素子２１のイットリア安定化ジルコニア（ＹＳＺ）からなる固体電解質層２７の内周側に設けられた内側電極２８」と、「固体電解質層２７の外周面に設けられた」「測定電極２９」は、本件特許発明１１の「Ａ　ガスセンサ」の「ジルコニアを主体とする固体電解質体」「上に設けられる一対の酸素ポンプ用電極」に相当する。
　したがって、甲１発明の「空燃比検出素子２１のイットリア安定化ジルコニア（ＹＳＺ）からなる固体電解質層２７の内周側に設けられた内側電極２８」と、「固体電解質層２７の外周面に設けられた」「測定電極２９と、を有する、焼成して一体的に形成された酸素を吸引する第１のポンプセルを備えた円形のロッド状の空燃比検出素子２１」の「内側電極２８」及び「測定電極２９」は、
　本件特許発明１１の「Ａ　ジルコニアを主体とする固体電解質体と、当該固体電解質体上に設けられる一対の酸素ポンプ用電極とを有する酸素ポンプセルと、を少なくとも備えたガスセンサであって、前記一対の酸素ポンプ用電極」に相当する。
（イ）甲１発明の「白金等の貴金属材料４１の粉体」、及び「イットリア安定化ジルコニア（ＹＳＺ）の粉体」は、それぞれ、本件特許発明１１の「貴金属又はその合金の粒子」、「安定化ジルコニアからなる第１セラミックス粒子」に相当する。
　さらに、甲１発明の「アルミナの粉体またはムライトの粉体」は、本件特許発明１１の「Ａｌ２Ｏ３、ムライトの群から選ばれる１種以上の第２セラミックス粒子」に相当する。
　そして、甲１発明の内側電極は「固体電解質層２７の内周側に設けられた内側電極２８であって、白金等の貴金属材料４１の粉体と、セラミックス粒子４２，４２，と、空孔４３，４３，とにより構成されており、そのセラミックス粒子４２は、粒径が０．４〜１．０μｍ程度のイットリア安定化ジルコニア（ＹＳＺ）の粉体１５〜２０重量％と、粒径が０．４〜１．０μｍ程度のアルミナの粉体またはムライトの粉体１〜２重量％により形成されるから、
　甲１発明の「空燃比検出素子２１」と、本件特許発明１１の「ガスセンサ」とは、
　「前記一対の酸素ポンプ用電極のうち、一方の電極は、貴金属又はその合金の粒子と、安定化ジルコニア又は部分安定化ジルコニアからなる第１セラミックス粒子と、Ａｌ２Ｏ３、ムライトの群から選ばれる１種以上の第２セラミックス粒子と、からなる電極で共通する。
（ウ）甲１発明は「イットリア安定化ジルコニア（ＹＳＺ）の粉体１５〜２０重量％」、「アルミナの粉体またはムライトの粉体１〜２重量％」であるから、上記（イ）に照らせば、甲１発明の「空燃比検出素子２１」の内側電極と、
　本件特許発明１１の「酸素ポンプ用電極」とは、
　「前記第２セラミックス粒子は、前記第１セラミックス粒子よりも含有量が少な」い点で共通する。
（エ）甲６には、「アルミナ（酸化アルミニウム）の密度が４．０ｇ／ｃｍ３であること。」が記載されており、また、甲７には、各種イットリア安定化ジルコニアの密度が約６ｇ／ｃｍ３であること。」が記載されており、これらの数値は物質固有の密度であるから、この値を用いて甲１発明の重量％を体積％に変換する。
「イットリア安定化ジルコニア（ＹＳＺ）の粉体１５〜２０重量％と、粒径が０．４〜１．０μｍ程度のアルミナの粉体またはムライトの粉体１〜２重量％により形成される」ことは、「イットリア安定化ジルコニア（ＹＳＺ）の粉体」に対し、「アルミナの粉体またはムライトの粉体」の含有割合重量比で、１／２０〜２／１５となる。
　また、「イットリア安定化ジルコニア（ＹＳＺ）の粉体」に対する、「アルミナの粉体」の密度比が４／６＝２／３であるから、
「イットリア安定化ジルコニア（ＹＳＺ）の粉体」に対し、「アルミナの粉体またはムライトの粉体」の含有割合体積比で、最小で（３・１）／（２・２０）〜最大で（３・２）／（２・１５）となり、
すなわち、７．５％〜２０％となる。
　したがって、甲１発明の「イットリア安定化ジルコニア（ＹＳＺ）の粉体１５〜２０重量％」、「アルミナの粉体またはムライトの粉体１〜２重量％」であることは、上記（ウ）に加えて、
本件特許発明１１の「Ｄ　第１セラミックス粒子に対し、前記第２セラミックス粒子の含有割合が３体積％以上４０体積％未満であること」と、
「第１セラミックス粒子に対し、前記第２セラミックス粒子の含有割合が７．５体積％以上２０体積％未満であること」で一致する。
　そうすると、両者は、　　
（一致点）　　
　「ジルコニアを主体とする固体電解質体と、当該固体電解質体上に設けられる一対の酸素ポンプ用電極とを有する酸素ポンプセルと、を少なくとも備えたガスセンサであって、
　前記一対の酸素ポンプ用電極のうち、一方の電極は、貴金属又はその合金の粒子と、安定化ジルコニア又は部分安定化ジルコニアからなる第１セラミックス粒子と、Ａｌ２Ｏ３、及びムライトの群から選ばれる１種以上の第２セラミックス粒子と、からなるものであり、
　前記第２セラミックス粒子は、前記第１セラミックス粒子よりも含有量が少なく、
　第１セラミックス粒子に対し、前記第２セラミックス粒子の含有割合が７．５体積％以上２０体積％未満である
　ガスセンサ用電極を用いるガスセンサ。」
である点で一致し、次の点で相違する。
（相違点１）
　一対の酸素ポンプ用電極の他方の電極が、本件特許発明１１は、酸素ポンプ用電極の一方の電極と同じ「貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からな」るものであるのに対して、甲１発明が、白金等からなる測定電極２９である点。
イ　判断
　上記相違点１を検討する。
　甲１発明の円形のロッド状の空燃比検出素子２１の酸素を吸引する第１のポンプセルの内側電極がセラミック粒子４２を含有しているのは甲１の段落【００７７】に記載されたとおり、ヒータ被覆層２５との接合性を高めるためである。一方第１のポンプセルの他方の電極である測定電極２９は、ヒータ被覆層２５と接していないので、セラミックス粒子４２，４２を含有させる必要性がないことは明らかである。
　そして、電極にセラミック粒子を含有させると、電気抵抗が大きくなること、そして、感度を良くするためには電極の電気抵抗はできるだけ小さく設計しなければならないことが技術常識であるから、測定電極２９にセラミックス粒子４２，４２を含有させることには、阻害要因があるといえる。
　そうすると対向する電極として、ヒータ被覆層２５との接合性を高めるための内側電極の構成を、ヒータ被覆層２５と接しない測定電極２９の構成に用いることは、当業者であっても容易に想到できるものとはいえない。
　したがって、甲１発明から、相違点１に係る本件特許発明１１の構成を容易に想到できるものとはいえない。
　以上のとおり、本件特許発明１１は、甲１発明ではなく、また、甲１発明に基づいて当業者が容易に想到できるものとはいえない。
（２）本件特許発明１２〜１３について
　本件特許発明１２〜１３は、本件特許発明１１を引用する発明であるから、甲１発明ではなく、また、甲１発明に基づいて当業者が容易に想到できるものとはいえない。
（３）本件特許発明１４〜１８について
ア　本件特許発明１４と甲１発明とを対比する。
　請求項１４については、当審において分説し、記号を付け整理した。　
「【請求項１４】
Ａ　ジルコニアを主体とする固体電解質体と、当該固体電解質体上に設けられる一対の酸素ポンプ用電極とを有する酸素ポンプセルと、を少なくとも備えたガスセンサであって、前記一対の酸素ポンプ用電極として、
Ｂ′　貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、
Ｃ　前記第２セラミックス粒子は、前記第１セラミックス粒子よりも含有量が少なく、
Ｆ　前記第２セラミックス粒子の焼結平均粒子径は、前記第１セラミックス粒子の０．１倍以上１倍以下である
Ｅ　ガスセンサ用電極を用いるガスセンサ。」
　そうすると、本件特許発明１４は、上記（１）で検討した本件特許発明１１から、「構成Ｄ」を削除し、「構成Ｂ」の群に「ＭｇＯ」を追加し、「Ｆ　前記第２セラミックス粒子の焼結平均粒子径は、前記第１セラミックス粒子の０．１倍以上１倍以下である」構成を付加した発明である。
　したがって、両者は、
（一致点）　　
　「ジルコニアを主体とする固体電解質体と、当該固体電解質体上に設けられる一対の酸素ポンプ用電極とを有する酸素ポンプセルと、を少なくとも備えたガスセンサであって、
　前記一対の酸素ポンプ用電極のうち、一方の電極は、貴金属又はその合金の粒子と、安定化ジルコニアからなる第１セラミックス粒子と、Ａｌ２Ｏ３、及びムライトの群から選ばれる１種以上の第２セラミックス粒子と、からなるものであり、
　前記第２セラミックス粒子は、前記第１セラミックス粒子よりも含有量が少ない、
　ガスセンサ用電極を有するガスセンサ。」
である点で一致し、（１）での（相違点１）に加えて次の（相違点２）で相違する。
（相違点２）
　本件特許発明１４が、前記第２セラミックス粒子の焼結平均粒子径は、前記第１セラミックス粒子の０．１倍以上１倍以下であるのに対して、甲１発明が、第１セラミックス粒子に相当する「イットリア安定化ジルコニア（ＹＳＺ）の粉体」と、第２セラミックス粒子に相当する「アルミナの粉体またはムライトの粉体」の粒径が共に０．４〜１．０μｍ程度である点。
　
イ　判断
　（相違点１）について判断は、上記（１）の「イ　判断」に記載したとおりである。
　したがって、相違点２について検討するまでもなく、本件特許発明１４は、甲１発明ではなく、また、甲１発明に基づいて当業者が容易に想到できるものとはいえない。
　本件特許発明１５〜１７は、本件特許発明１４を引用する発明であるから、甲１発明ではなく、また、甲１発明に基づいて当業者が容易に想到できるものとはいえない。
　本件特許発明１８は、本件特許発明１１を引用する発明、または、本件特許発明１４を引用する発明であるから、甲１発明ではなく、また、甲１発明に基づいて当業者が容易に想到できるものとはいえない。
（４）本件特許発明１９について
ア　本件特許発明１９と甲１発明とを対比する。
　請求項１９については、当審において分説し、記号を付け整理した。　
「【請求項１９】
Ｇ　第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、
　ジルコニアを主体とする固体電解質体の表面に設けられるガスセンサ用電極であって、
Ｂ　貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、
Ｃ　前記第２セラミックス粒子は、前記第１セラミックス粒子よりも含有量が少なく、
Ｄ　第１セラミックス粒子に対し、前記第２セラミックス粒子の含有割合が３体積％以上４０体積％未満である
Ｅ　ガスセンサ用電極を用いるガスセンサ。」
アー１　本件特許発明１９のうち、上記「構成Ｇ」で「ガスセンサ用電極」を「前記一対の酸素ポンプ用電極」とした場合の発明と甲１発明とを対比する。
（ア）甲１発明の「空燃比検出素子２１」、「イットリア安定化ジルコニア（ＹＳＺ）からなる固体電解質層２７」、及び「内側電極２８」と「測定電極２９」は、それぞれ、本件特許発明１９の「ガスセンサ」、「ジルコニアを主体とする固体電解質体」、及び「一対の酸素ポンプ用電極」に相当する。
　甲１発明の「空燃比検出素子２１のイットリア安定化ジルコニア（ＹＳＺ）からなる固体電解質層２７の内周側に設けられた内側電極２８」と、「固体電解質層２７の外周面に設けられた」「測定電極２９と、を有する焼成して一体的に形成された酸素を吸引する第１のポンプセルを備えた円形のロッド状の空燃比検出素子２１」と、
　本件特許発明１９の「Ｇ　第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサ」とは、
　「第１の固体電解質体と、当該第１の固体電解質体の表面に設けられる一対の酸素ポンプ用電極とを有する酸素ポンプセルを少なくとも備えたガスセンサ」の点で共通する。
　さらに、甲１発明の「空燃比検出素子２１のイットリア安定化ジルコニア（ＹＳＺ）からなる固体電解質層２７の内周側に設けられた内側電極２８」と、「固体電解質層２７の外周面に設けられた」「測定電極２９と、を有する焼成して一体的に形成された酸素を吸引する第１のポンプセルを備えた円形のロッド状の空燃比検出素子２１」の「内側電極２８」と、
　本件特許発明１９の「Ｇ　前記一対の酸素ポンプ用電極として、
　ジルコニアを主体とする固体電解質体の表面に設けられるガスセンサ用電極」とは、
　「一対の酸素ポンプ用電極の一方の電極として、ジルコニアを主体とする固体電解質体の表面に設けられるガスセンサ用電極」の点で共通する。
（イ）甲１発明の「白金等の貴金属材料４１の粉体」、及び「イットリア安定化ジルコニア（ＹＳＺ）の粉体」は、それぞれ、本件特許発明１９の「貴金属又はその合金の粒子」、「安定化ジルコニアからなる第１セラミックス粒子」に相当する。
　さらに、甲１発明の「アルミナの粉体またはムライトの粉体」と、本件特許発明１９の「Ａｌ２Ｏ３、Ｌａ２Ｏ３、スピネル、ジルコン、ムライト及びコージェライトの群から選ばれる１種以上の第２セラミックス粒子」とは、
「Ａｌ２Ｏ３、ムライトの群から選ばれる１種以上の第２セラミックス粒子」で一致する。
　そして、甲１発明の内側電極は「固体電解質層２７の内周側に設けられた内側電極２８であって、白金等の貴金属材料４１の粉体と、セラミックス粒子４２，４２，と、空孔４３，４３，とにより構成されており、そのセラミックス粒子４２は、粒径が０．４〜１．０μｍ程度のイットリア安定化ジルコニア（ＹＳＺ）の粉体１５〜２０重量％と、粒径が０．４〜１．０μｍ程度のアルミナの粉体またはムライトの粉体１〜２重量％により形成されるから、
　甲１発明の「空燃比検出素子２１」と、本件特許発明１９の「ガスセンサ」とは、
　「前記一対の酸素ポンプ用電極のうち、一方の電極として、貴金属又はその合金の粒子と、安定化ジルコニア又は部分安定化ジルコニアからなる第１セラミックス粒子と、Ａｌ２Ｏ３、ムライトの群から選ばれる１種以上の第２セラミックス粒子と、からなる電極で共通する。
（ウ）甲１発明の「イットリア安定化ジルコニア（ＹＳＺ）の粉体１５〜２０重量％」、「アルミナの粉体またはムライトの粉体１〜２重量％」であるから、上記（イ）に照らせば、甲１発明の「空燃比検出素子２１」の内側電極と、
　本件特許発明１９の「前記一対の酸素ポンプ用電極」とは、
　「前記第２セラミックス粒子は、前記第１セラミックス粒子よりも含有量が少な」い点で共通する。
（エ）甲６には、「アルミナ（酸化アルミニウム）の密度が４．０ｇ／ｃｍ３であること。」が記載されており、また、甲７には、各種イットリア安定化ジルコニアの密度が約６ｇ／ｃｍ３であること。」が記載されており、これらの数値は物質固有の密度であるから、この値を用いて甲１発明の重量％を体積％に変換する。
「イットリア安定化ジルコニア（ＹＳＺ）の粉体１５〜２０重量％と、粒径が０．４〜１．０μｍ程度のアルミナの粉体またはムライトの粉体１〜２重量％により形成される」ことは、「イットリア安定化ジルコニア（ＹＳＺ）の粉体」に対し、「アルミナの粉体またはムライトの粉体」の含有割合重量比で、１／２０〜２／１５となる。
　また、「イットリア安定化ジルコニア（ＹＳＺ）の粉体」に対する、「アルミナの粉体」の密度比が４／６＝２／３であるから、
　「イットリア安定化ジルコニア（ＹＳＺ）の粉体」に対し、「アルミナの粉体またはムライトの粉体」の含有割合体積比で、最小で（３・１）／（２・２０）〜最大で（３・２）／（２・１５）となり、
すなわち、７．５％〜２０％となる。
　したがって、甲１発明の「イットリア安定化ジルコニア（ＹＳＺ）の粉体１５〜２０重量％」、「アルミナの粉体またはムライトの粉体１〜２重量％」であることは、上記（ウ）に加えて、本件特許発明１９の「Ｄ　第１セラミックス粒子に対し、前記第２セラミックス粒子の含有割合が３体積％以上４０体積％未満であること」と「第１セラミックス粒子に対し、前記第２セラミックス粒子の含有割合が７．５体積％以上２０体積％未満であること」で一致する。
　そうすると、両者は、　　
（一致点）　　
　「第１の固体電解質体と、当該第１の固体電解質体の表面に設けられる一対の酸素ポンプ用電極とを有する酸素ポンプセルを少なくとも備えたガスセンサであって、
　前記一対の酸素ポンプ用電極のうち、一方の電極は、ジルコニアを主体とする固体電解質体の表面に設けられるガスセンサ用電極であって、
　貴金属又はその合金の粒子と、安定化ジルコニア又は部分安定化ジルコニアからなる第１セラミックス粒子と、Ａｌ２Ｏ３、及びムライトの群から選ばれる１種以上の第２セラミックス粒子と、からなるものであり、
　前記第２セラミックス粒子は、前記第１セラミックス粒子よりも含有量が少なく、
　第１セラミックス粒子に対し、前記第２セラミックス粒子の含有割合が７．５体積％以上２０体積％未満である
　ガスセンサ用電極を用いるガスセンサ。」
である点で一致し、（１）での（相違点１）に加えて次の（相違点３）で相違する。
（相違点３）
　本件特許発明１９が、第２の固体電解質体と、当該第２の固体電解質体に配置された一対の検知用電極とを有する検知セルを備えるのに対して、甲１発明はそのような検知セルを備えていない点。
アー２　本件特許発明１９のうち、上記「構成Ｇ」で「ガスセンサ用電極」を「前記一対の検知用電極」としても、本件特許発明１９は、「第２の固体電解質体と、当該第２の固体電解質体に配置された一対の検知用電極とを有する検知セル」を備えているので、上記（相違点３）で相違する。
イ　判断　　
　上記アー１、アー２で共通する上記相違点３を検討する。
　甲１〜５には、本件特許発明１９の「第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セル」に相当する２つのセルからなる構成が記載も示唆もされていない。
　したがって、相違点３に係る本件特許発明１９の構成は、甲１発明と、甲１ないし甲５に記載の技術事項に基づいて、当業者がを容易に想到できるものとはいえない。
　そうすると、本件特許発明１９は、甲１発明ではなく、また、甲１発明と、甲１ないし甲５に記載の技術事項に基づいて当業者が容易に想到できるものとはいえない。
（５）本件特許発明２０〜２２について
　本件特許発明２０〜２２は、本件特許発明１９を引用する発明であるから、甲１発明ではなく、また、甲１発明と、甲１ないし甲５に記載の技術事項に基づいて当業者が容易に想到できるものとはいえない。
（６）本件特許発明２３〜２７について
ア　本件特許発明２３と甲１発明とを対比する。
　請求項２３については、当審において分説し、記号を付け整理した。　
「【請求項２３】
Ｇ　第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　前記一対の酸素ポンプ用電極または前記一対の検知用電極として、
　ジルコニアを主体とする固体電解質体の表面に設けられるガスセンサ用電極であって、
Ｂ′　貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、
Ｃ　前記第２セラミックス粒子は、前記第１セラミックス粒子よりも含有量が少なく、
前記第２セラミックス粒子は、前記第１セラミックス粒子よりも含有量が少なく、
Ｆ　前記第２セラミックス粒子の焼結平均粒子径は、前記第１セラミックス粒子の０．１倍以上１倍以下である
ガスセンサ用電極を用いるガスセンサ。
　そうすると、本件特許発明２３は、「構成Ｇ」と「構成Ｆ」を備えている。
　「構成Ｇ」は上記「（４）本件特許発明１９について」で検討した（相違点１）及び（相違点３）を有しており、「構成Ｆ」は上記「（３）本件特許発明１４〜１８について　ア」で検討した（相違点２）を有している。
　
イ　判断
　（相違点３）について判断は、上記「（４）本件特許発明１９について」の「イ　判断」に記載したとおりである。
　したがって、相違点２について検討するまでもなく、本件特許発明２３は、甲１発明ではなく、また、甲１発明と、甲１ないし甲５に記載の技術事項に基づいて当業者が容易に想到できるものとはいえない。
　本件特許発明２４〜２７は、本件特許発明２３を引用する発明であるから、甲１発明ではなく、また、甲１発明と、甲１ないし甲５に記載の技術事項に基づいて当業者が容易に想到できるものとはいえない。
（７）本件特許発明２８について
　本件特許発明２８は、本件特許発明１９〜２７を引用する発明であるから、上記本件特許発明１９〜２７と同様に、甲１発明ではなく、また、甲１発明と、甲１ないし甲５に記載の技術事項に基づいて当業者が容易に想到できるものとはいえない。
４　以上のとおり、本件特許発明１１〜２８は、甲１発明ではなく、また、甲１発明に基づいて当業者が容易に想到できるものとはいえない。
第７　申立人の意見について
　申立人は、意見書において、「甲第１号証には、測定電極２９及び基準電極３１は、白金等からなる導電性ペーストを用いて形成されたことが記載されているものの、該導電性ペーストが内側電極２８に用いる導電性ペーストと同一の材料であることまでは明記されていません。しかし、通常、一対の電極を同一の材料及び構造で構成することは技術常識で有り周知慣用技術に過ぎません。・・・したがって、一対の電極の双方（構成Ｂ）が構成Ｃ、構成Ｄを有することは甲第１号証に記載されているに等しい、或いは、当業者が容易に想到できることにすぎないといえます。」と主張する。
　しかしながら、測定電極２９にセラミックス粒子を含有させることに阻害要因があることは、「第６の３（１）イ」で検討したとおりである。　　
　したがって、申立人の上記主張は採用できない。
第８　取消理由通知において採用しなかった特許異議申立理由について
　申立人は、（特許法第３６条第６項第２号違反）において、本件特許発明１〜６の「ガスセンサ用電極」は「（ａ）電極部及びリード部の両方が所定の構成を有する場合、（ｂ）電極部のみが所定の構成を有する場合、（ｃ）リード部のみが所定の構成を有する場合」の３通りが考えられるが、その何れを対象としているのか、不明確な文言である旨主張されているが、この点に関しては、「ガスセンサ用電極」が明細書に記載された構成以外の構成まで拡張ないし一般化できないとした取消理由１を解消することにより解消されるものであり、この取消理由１は、上記第４で検討したとおり「ガスセンサ用電極」は「ジルコニアを主体とする固体電解質体と、当該固体電解質体上に設けられる一対の酸素ポンプ用電極とを有する酸素ポンプセルと、を少なくとも備えたガスセンサ」の「前記一対の酸素ポンプ用電極」と訂正されることにより解消し、その結果「ガスセンサ用電極」は、上記（ｂ）であることが明確になったので、本件特許が特許法第３６条第６項第２号に規定する要件を満たしていない特許出願に対してなされたものとはいえない。
　
第９　むすび
　以上のとおりであるから、平成２９年９月２７日付けの取消理由通知に記載した取消理由及び特許異議申立書に記載された特許異議申立理由によっては、請求項１１〜２８に係る特許を取り消すことはできない。
　また、他に請求項１１〜２８に係る特許を取り消すべき理由を発見しない。
　請求項１〜１０は、本件訂正請求により削除されたので請求項１〜１０に係る特許についての特許異議の申立てを却下する。
　よって、結論の通り決定する。
【異議決定日】
平成３０年４月２４日（２０１８．４．２４）
【訂正の要旨】
審決（決定）の【理由】欄参照。
（５７）【特許請求の範囲】
　【請求項１】
　
（削除）
　【請求項２】
　
（削除）
　【請求項３】
　
（削除）
　【請求項４】
　
（削除）
　【請求項５】
　
（削除）
　【請求項６】
　
（削除）
　【請求項７】
　
（削除）
　【請求項８】
　
（削除）
　【請求項９】
　
（削除）
　【請求項１０】
　
（削除）
　【請求項１１】
　
ジルコニアを主体とする固体電解質体と、当該固体電解質体上に設けられる一対の酸素ポンプ用電極とを有する酸素ポンプセルと、を少なくとも備えたガスセンサであって、
　
前記一対の酸素ポンプ用電極として、貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、第１セラミックス粒子に対し、前記第２セラミックス粒子の含有割合が３体積％以上４０体積％未満であるガスセンサ用電極を用いるガスセンサ。
　【請求項１２】
　
前記第２セラミックス粒子の焼結平均粒子径は、前記第１セラミックス粒子の０．１倍以上１倍以下である請求項１１記載のガスセンサ。
　【請求項１３】
　
前記第１セラミックス粒子が部分安定化ジルコニアからなる請求項１１又は１２記載のガスセンサ。
　【請求項１４】
　
ジルコニアを主体とする固体電解質体と、当該固体電解質体上に設けられる一対の酸素ポンプ用電極とを有する酸素ポンプセルと、を少なくとも備えたガスセンサであって、
　
前記一対の酸素ポンプ用電極として、貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、前記第２セラミックス粒子の焼結平均粒子径は、前記第１セラミックス粒子の０．１倍以上１倍以下であるガスセンサ用電極を用いるガスセンサ。
　【請求項１５】
　
前記ガスセンサ用電極において、第１セラミックス粒子に対し、前記第２セラミックス粒子の含有割合が０．１体積％以上５０体積％未満である請求項１４記載のガスセンサ。
　【請求項１６】
　
前記ガスセンサ用電極において、第１セラミックス粒子に対し、前記第２セラミックス粒子の含有割合が３体積％以上４０体積％未満である請求項１５記載のガスセンサ。
　【請求項１７】
　
前記第１セラミックス粒子が部分安定化ジルコニアからなる請求項１４〜１６のいずれかに記載のガスセンサ。
　【請求項１８】
　
前記ガスセンサ用電極の厚みが２０μｍ以上である請求項１１〜１７のいずれかに記載のガスセンサ。
　【請求項１９】
　
第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　
前記一対の酸素ポンプ用電極または前記一対の検知用電極として、
　
ジルコニアを主体とする固体電解質体の表面に設けられるガスセンサ用電極であって、貴金属又はその合金の粒子と、安定化ジルコニア又は部分安定化ジルコニアからなる第１セラミックス粒子と、Ａｌ２Ｏ３、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、第１セラミックス粒子に対し、前記第２セラミックス粒子の含有割合が３体積％以上４０体積％未満であるガスセンサ用電極を用いるガスセンサ。
　【請求項２０】
　
前記第２セラミックス粒子の焼結平均粒子径は、前記第１セラミックス粒子の０．１倍以上１倍以下である請求項１９記載のガスセンサ。
　【請求項２１】
　
前記第１セラミックス粒子が部分安定化ジルコニアからなる請求項１９又は２０記載のガスセンサ。
　【請求項２２】
　
前記ガスセンサ用電極が、酸素ポンプ用電極である請求項１９〜２１記載のガスセンサ。
　【請求項２３】
　
第１の固体電解質体と、当該第１の固体電解質体の表面に設けられる一対の酸素ポンプ用電極とを有する酸素ポンプセルと、第２の固体電解質体と、当該第２の固体電解質体に配置された一対の検知用電極とを有する検知セルと、を少なくとも備えたガスセンサであって、
　
前記一対の酸素ポンプ用電極または前記一対の検知用電極として、
　
ジルコニアを主体とする固体電解質体の表面に設けられるガスセンサ用電極であって、貴金属又はその合金の粒子と、安定化ジルコニア又は部分安定化ジルコニアからなる第１セラミックス粒子と、Ａｌ２Ｏ３、ＭｇＯ、Ｌａ２Ｏ３、スピネル、ジルコン、ムライト及びコージェライトの群から選ばれる１種以上の第２セラミックス粒子と、からなり、前記第２セラミックス粒子は、前記第１セラミックス粒子よりも含有量が少なく、前記第２セラミックス粒子の焼結平均粒子径は、前記第１セラミックス粒子の０．１倍以上１倍以下であるガスセンサ用電極を用いるガスセンサ。
　【請求項２４】
　
前記ガスセンサ用電極において、第１セラミックス粒子に対し、前記第２セラミックス粒子の含有割合が０．１体積％以上５０体積％未満である請求項２３記載のガスセンサ。
　【請求項２５】
　
前記ガスセンサ用電極において、第１セラミックス粒子に対し、前記第２セラミックス粒子の含有割合が３体積％以上４０体積％未満である請求項２４記載のガスセンサ。
　【請求項２６】
　
前記第１セラミックス粒子が部分安定化ジルコニアからなる請求項２３〜２５のいずれかに記載のガスセンサ。
　【請求項２７】
　
前記ガスセンサ用電極が、酸素ポンプ用電極である請求項２３〜２６記載のガスセンサ。
　【請求項２８】
　
前記ガスセンサ用電極の厚みが２０μｍ以上である請求項１９〜２７のいずれかに記載のガスセンサ。